(57)【要約】【課題】両面印刷された画像を読み取る際に、裏写りが発生することを防止して、画像読み取りの正確性を高める。【解決手段】画像読取装置の制御部は、移動部を制御して走査部を走査させる際に、表面画像読取部及び裏面画像読取部のうち、一方の画像読取部の光源が、他方の画像読取部の撮像素子の信号出力期間で発光して、光電変換期間で消灯するように、光源を制御することで、記録媒体上の画像を読み取る。【選択図】図１
2007243588.tif 000002
【特許請求の範囲】
【請求項１】
記録媒体上の画像を走査する走査部と、
前記走査部が前記記録媒体に対して相対的に移動して前記記録媒体を走査するように、前記記録媒体及び走査部の少なくとも一方を移動させる移動部と、
前記走査部及び前記移動部を制御する制御部とを備え、
前記走査部は、前記記録媒体表面の画像を読み取る表面画像読取部と、前記記録媒体を挟んで前記表面画像読取部に対向するように配置されて、前記記録媒体裏面の画像を読み取る裏面画像読取部とを有し、
前記表面画像読取部及び前記裏面画像読取部のそれぞれには、前記記録媒体に向けて光を照射する光源と、前記光源から照射されて前記記録媒体上で反射した反射光を受光する撮像素子とが、前記走査方向に直交する方向に沿うように少なくとも１つ配置されていて、
前記制御部は、前記移動部を制御して前記走査部を走査させる際に、前記表面画像読取部及び前記裏面画像読取部のうち、一方の前記画像読取部の光源が、他方の前記画像読取部の前記撮像素子の信号出力期間で発光して光電変換期間で消灯するように、前記光源を制御することで、前記記録媒体上の画像を読み取ることを特徴とする画像読取装置。
【請求項２】
請求項１記載の画像読取装置において、
異なる色の光で前記記録媒体を照射するように、発光色の異なる前記光源が複数設けられていて、
前記記録媒体の同一部分を、発光色の異なる前記光源がそれぞれ光を照射することを特徴とする画像読取装置。
【請求項３】
請求項１又は２記載の画像読取装置において、
前記撮像素子は、前記光電変換期間と前記信号出力期間とが所定の周期で繰り返されるようになっていて、
前記制御部は、前記表面画像読取部及び前記裏面画像読取部のうち、一方の前記画像読取部の光源が、他方の前記画像読取装置の前記撮像素子の信号出力期間で発光して、光電変換期間で消灯するように、前記光電変換期間と前記信号出力期間との周期と同周期で、かつ位相をずらして前記光源を点滅させることを特徴とする画像読取装置。
【請求項４】
記録媒体上の画像を走査する走査部と、
前記走査部が前記記録媒体に対して相対的に移動して前記記録媒体を走査するように、前記記録媒体及び前記走査部の少なくとも一方を移動させる移動部とを備え、
前記走査部は、前記記録媒体表面の画像を読み取る表面画像読取部と、前記記録媒体を挟んで前記表面画像読取部に対向するように配置されて、前記記録媒体裏面の画像を読み取る裏面画像読取部とを有し、
前記表面画像読取部及び前記裏面画像読取部のそれぞれには、前記記録媒体に向けて光を照射する光源と、前記光源から照射されて前記記録媒体上で反射した反射光を受光する撮像素子とが、前記走査方向に直交する方向に沿うように少なくとも１つ配置されている画像読取方法であって、
前記表面画像読取部及び前記裏面画像読取部のうち、一方の前記画像読取部の光源が、他方の前記画像読取部の前記撮像素子の信号出力期間で発光して、光電変換期間で消灯することを繰り返しながら前記記録媒体上の画像を読み取ることを特徴とする画像読取方法。
【請求項５】
請求項４記載の画像読取方法において、
異なる色の光で前記記録媒体を照射するように、発光色の異なる前記光源が複数設けられていて、
前記記録媒体の同一部分を、発光色の異なる前記光源がそれぞれ光を照射することを特徴とする画像読取方法。
【請求項６】
請求項４又は５記載の画像読取方法において、
前記撮像素子は、前記光電変換期間と前記信号出力期間とが所定の周期で繰り返されるようになっていて、
前記表面画像読取部及び前記裏面画像読取部のうち、一方の前記画像読取部の光源が、他方の前記画像読取部の前記撮像素子の信号出力期間で発光して、光電変換期間で消灯するように、前記光電変換期間と前記信号出力期間との周期と同周期で、かつ位相をずらして前記光源を点滅させることを繰り返しながら、前記記録媒体上の画像を読み取ることを特徴とする画像読取方法。
【発明の詳細な説明】
【技術分野】
【０００１】
本発明は、画像読取装置及び画像読取方法に係り、特に両面印刷された画像を読み取り可能な画像読取装置及び画像読取方法に関する。
【背景技術】
【０００２】
従来、記録媒体の両面に印刷された画像を一度で読み取る画像読取装置が知られている。このような画像読取装置には、表面側の画像を読み取る表面画像読取部と、裏面側の画像を読み取る裏面画像読取部とが、記録媒体を挟んで対峙するように配置されている。これらの表面画像読取部及び裏面画像読取部には、それぞれ光源と撮像素子とが搭載されており、光源から発光された光が、記録媒体上を反射して、撮像素子内に入射することで、撮像素子に記録媒体上の濃淡を認識させて、画像を読み取るようになっている。
ここで、表面画像読取部と裏面画像読取部の両者が同時に光源を発光させてしまうと、一方の光が記録媒体を透過して他方の撮像素子内に入射してしまい、反対側の画像が裏写りして読み取られる場合があった。
この裏写りを防止するために、近年では、表面画像読取部の光源と、裏面画像読取部の光源とを走査ライン単位で交互に点滅させることで、一方の光が他方の撮像素子内に入射してしまうことを防止する画像読取装置が開発されている（例えば特許文献１参照）。
【特許文献１】特開平９−３２１９４７号公報
【発明の開示】
【発明が解決しようとする課題】
【０００３】
ところで、例えば撮像素子がＣＣＤであると、受光した光を電荷に変換して蓄積する光電変換期間と、蓄積した電荷を出力する信号出力期間とが所定の周期で切り替わっているために、上記した特許文献１記載の画像読取装置のように、表面側と裏面側の光源をただ単に交互に点滅させるだけでは、一方の撮像素子の光電変換期間中に他方の光源が発光していると、その光が記録媒体を透過して他方の撮像素子内に入射することになり、結果的に裏写りを発生させることになっていた。
【０００４】
本発明の課題は、両面印刷された画像を読み取る際に、裏写りが発生することを防止して、高品位な画像読み取りを実現することである。
【課題を解決するための手段】
【０００５】
請求項１記載の発明における画像読取装置は、
記録媒体上の画像を走査する走査部と、
前記走査部が前記記録媒体に対して相対的に移動して前記記録媒体を走査するように、前記記録媒体及び前記走査部の少なくとも一方を移動させる移動部と、
前記走査部及び前記移動部を制御する制御部とを備え、
前記走査部は、前記記録媒体表面の画像を読み取る表面画像読取部と、前記記録媒体を挟んで前記表面画像読取部に対向するように配置されて、前記記録媒体裏面の画像を読み取る裏面画像読取部とを有し、
前記表面画像読取部及び前記裏面画像読取部のそれぞれには、前記記録媒体に向けて光を照射する光源と、前記光源から照射されて前記記録媒体上で反射した反射光を受光する撮像素子とが、前記走査方向に直交する方向に沿うように少なくとも１つ配置されていて、
前記制御部は、前記移動部を制御して前記走査部を走査させる際に、前記表面画像読取部及び前記裏面画像読取部のうち、一方の前記画像読取部の光源が、他方の前記画像読取部の前記撮像素子の信号出力期間で発光して、光電変換期間で消灯するように、前記光源を制御することで、前記記録媒体上の画像を読み取ることを特徴としている。
【０００６】
請求項２記載の発明は、請求項１記載の画像読取装置において、
異なる色の光で前記記録媒体を照射するように、発光色の異なる前記光源が複数設けられていて、
前記記録媒体の同一部分を、発光色の異なる前記光源がそれぞれ光を照射することを特徴としている。
【０００７】
請求項３記載の発明は、請求項１又は２記載の画像読取装置において、
前記撮像素子は、前記光電変換期間と前記信号出力期間とが所定の周期で繰り返されるようになっていて、
前記制御部は、前記表面画像読取部及び前記裏面画像読取部のうち、一方の前記画像読取部の光源が、他方の前記画像読取装置の前記撮像素子の信号出力期間で発光して、光電変換期間で消灯するように、前記光電変換期間と前記信号出力期間との周期と同周期で、かつ位相をずらして前記光源を点滅させることを特徴としている。
【０００８】
請求項４記載の発明における画像読取方法は、
記録媒体上の画像を走査する走査部と、
前記走査部が前記記録媒体に対して相対的に移動して前記記録媒体を走査するように、前記記録媒体及び前記走査部の少なくとも一方を移動させる移動部とを備え、
前記走査部は、前記記録媒体表面の画像を読み取る表面画像読取部と、前記記録媒体を挟んで前記表面画像読取部に対向するように配置されて、前記記録媒体裏面の画像を読み取る裏面画像読取部とを有し、
前記表面画像読取部及び前記裏面画像読取部のそれぞれには、前記記録媒体に向けて光を照射する光源と、前記光源から照射されて前記記録媒体上で反射した反射光を受光する撮像素子とが、前記走査方向に直交する方向に沿うように少なくとも１つ配置されている画像読取方法であって、
前記表面画像読取部及び前記裏面画像読取部のうち、一方の前記画像読取部の光源が、他方の前記画像読取部の前記撮像素子の信号出力期間で発光して、光電変換期間で消灯することを繰り返しながら前記記録媒体上の画像を読み取ることを特徴としている。
【０００９】
請求項５記載の発明は、請求項４記載の画像読取方法において、
異なる色の光で前記記録媒体を照射するように、発光色の異なる前記光源が複数設けられていて、
前記記録媒体の同一部分を、発光色の異なる前記光源がそれぞれ光を照射することを特徴としている。
【００１０】
請求項６記載の発明は、請求項４又は５記載の画像読取方法において、
前記撮像素子は、前記光電変換期間と前記信号出力期間とが所定の周期で繰り返されるようになっていて、
前記表面画像読取部及び前記裏面画像読取部のうち、一方の前記画像読取部の光源が、他方の前記画像読取部の前記撮像素子の信号出力期間で発光して、光電変換期間で消灯するように、前記光電変換期間と前記信号出力期間との周期と同周期で、かつ位相をずらして前記光源を点滅させることを繰り返しながら、前記記録媒体上の画像を読み取ることを特徴としている。
【発明の効果】
【００１１】
本発明によれば、表面画像読取部の前記撮像素子と、裏面画像読取部の撮像素子とは、それぞれの信号出力期間が重ならないタイミングで、信号出力期間と光電変換期間とが切り替わるようになっている。そして、走査部が記録媒体上を走査する際に、表面画像読取部及び裏面画像読取部のうち、一方の画像読取部の光源が他方の画像読取部の撮像素子の信号出力期間で発光して、光電変換期間で消灯することで、記録媒体上の画像が読み取られるので、一方の画像読取部の光が記録媒体を通過して他方の画像読取部の撮像素子に入射したとしても、当該撮像素子が信号出力期間となる。つまり、他方の画像読取部の撮像素子では、一方の画像読取部からの光を電荷に変換して蓄積することがなくなるので、裏写りの発生が防止されることになる。したがって、画像読み取りの正確性を高めることができる。
【発明を実施するための最良の形態】
【００１２】
［第１の実施の形態］
以下、本実施形態における画像読取装置において図を参照にして説明する。なお、本実施形態の画像読取装置は、画像をモノクロ画像として読み込むモノクロスキャナタイプである場合について説明する。図１は画像読取装置の概略構成を表す側面図であり、図２は正面図である。この図１及び図２に示すように、画像読取装置１には、画像の形成された記録媒体（原稿Ｇ）を保持するためのプラテン部２と、プラテン部２上の原稿Ｇの画像を走査する走査部３と、これらを制御する制御部１０とが設けられている。
【００１３】
プラテン部２には、原稿Ｇを保持するための例えばガラスからなる透光板２１が配置されていて、この透光板２１により、原稿Ｇ下面の画像がプラテン部２の下方からでも認識できるようになっている。
【００１４】
走査部３には、当該走査部３が原稿Ｇに対して相対的に移動して原稿を走査するように、走査部３を移動させる移動部６が設けられている。移動部６には、プラテン部２の一端部下方で副走査方向Ｓに延在するように配置されて、走査部３をスライドさせる移動レール６１と、移動レール６１の下方で走査部３に係合するように、移動レール６１に対して平行に配置された環状の駆動ベルト６２と、駆動ベルト６２を回転自在に保持するプーリ６３及びアイドルプーリ６４と、プーリ６３を回転させることで駆動ベルト６２を回転させるパルスモータ６５とが設けられている。このパルスモータ６５が回転すると、プーリ６３を介して駆動ベルト６２が回転し、これに伴って走査部３が移動レール６１に沿いながら走査方向に移動することになる。つまり、パルスモータ６５の回転によって、駆動ベルト６２の回転位置及び回転速度や、走査部３の移動速度や停止位置が決定することになる。
【００１５】
図３は走査部３の内部構成を表す説明図である。この図３に示すように、走査部３には、プラテン部２に載置された原稿Ｇ表面の画像を読み取る表面画像読取部７と、原稿Ｇを挟んで表面画像読取部７に対向するように透光板２１の下方に配置されて、原稿Ｇ裏面の画像を読み取る裏面画像読取部８とが設けられている。
【００１６】
これら表面画像読取部７と裏面画像読取部８とは上下反転しているものの同一の構成であるために、以下、裏面画像読取部８を例示して説明する。なお、表面画像読取部７における裏面画像読取部８との同一部分においては、符号の二桁目を７として、符号の一桁目を同一数字とすることでその説明を省略する。
【００１７】
図４は裏面画像読取部８の概略構成を表す斜視図である。この図４に示すように裏面画像読取部８には、プラテン部２の下方に配置されて、原稿Ｇに向けて光を照射する発光部８１と、発光部８１から照射されて原稿Ｇ上で反射した光を受光する受光部８２とが設けられている。
【００１８】
発光部８１には、本発明の光源としてのＬＥＤ８３と、ＬＥＤ８３を保持する保持部材８４とが設けられている。
ＬＥＤ８３は、副走査方向Ｓに直行する方向（主走査方向Ｈ）に沿うように、複数配列されていて、それらが副走査方向Ｓに３列設けられている。
保持部材８４は、光反射率の高い光不透過部材で形成されている。保持部材８４には、各ＬＥＤ８３からの光を原稿Ｇに向けて反射させる反射面８５が形成されている。この反射面８５は、各列のＬＥＤ８３の光が原稿Ｇ上の同一ラインを照射するような曲面に形成されている。この反射面８５に光反射率の高い反射シートを貼ったり、光反射率の高い反射膜を塗布又は蒸着したりして、反射面８５の反射率を高めることが好ましい。
【００１９】
受光部８２には、発光部８１から照射されて原稿Ｇ上で反射した光を結像するためのロッドレンズアレイ８６と、ロッドレンズアレイ８６で結像された光を光電変換するために、主走査方向Ｈに沿って一列に配列された撮像素子８７とが設けられている。
【００２０】
ロッドレンズアレイ８６には、主走査方向Ｈに沿って一列に配列された複数の円柱状のロッドレンズ８８が備えられている。ロッドレンズ８８は、撮像素子８７と対となるように配置されている。各ロッドレンズ８８は、原稿Ｇからの反射光を受光して、各撮像素子８７上に原稿Ｇと等倍率で結合するようになっていて、これにより各撮像素子８７上には、原稿Ｇの読取部分の光学像が結像されることになる。
【００２１】
撮像素子８７は、ＣＣＤイメージセンサであり、ロッドレンズアレイ８６によって結像された光量の大小を光量信号として所定の周期で読み取って光電変換して所定時間蓄積してから、電気信号として出力するものである。各撮像素子８７毎に蓄積された電荷は、光量信号に応じた電気信号として出力される。ここで、撮像素子８７が受光した光を電荷に変えて蓄積する時間を光電変換期間、蓄積された電荷を出力する時間を信号出力期間としての電荷出力期間とする。
【００２２】
そして、図１に示すように画像読取装置１には、移動部６のパルスモータ６５や、走査部３の表面画像読取部７、裏面画像読取部８を制御するための制御部１０が設けられている。図５は制御部１０の構成を表すブロック図である。この図５に示すように、制御部１０は、ＣＰＵ１１、ＲＯＭ１２、ＲＡＭ１３、メモリ１４、モータドライバ１５、アナログ信号処理部１６、デジタル信号処理部１７、入出力インターフェイス１８、光源ドライバ１９、センサドライバ２０から構成されている。
【００２３】
ＣＰＵ１１は、画像読取装置１の全体の処理を統括的に制御するためのプログラムや、各種参照データが記憶されているＲＯＭ１２と、プログラムや各種データが一時的に記憶されるＲＡＭ１３と、ＥＥＰＲＯＭ等の書き換え可能なメモリ１４とともに、画像読取装置１の全体の処理を統括的に制御する。また、ＣＰＵ１１は、モータドライバ１５、光源ドライバ１９、センサドライバ２０、アナログ信号処理部１６、デジタル信号処理部１７、入出力インターフェイス１８各部の動作を制御して、画像読取装置１の原稿読み取りの全体処理を統括的に制御する。
【００２４】
モータドライバ１５は、パルスモータ６５の回転駆動を制御することによって、駆動ベルト６２の回転位置と回転速度とを制御する。これにより、駆動ベルト６２に係合されている走査部３の移動方向と移動速度が制御されることになる。
【００２５】
アナログ信号処理部１６には、撮像素子８７から出力されたアナログの電気信号に対してオフセット補正、増幅補正、雑音除去等の信号処理を行ってアナログ画像信号を出力するアナログ信号補正部３１と、アナログ信号補正部３１から出力されたアナログ画像信号を所定のビット深度のデジタル画像データに変換するＡ／Ｄ変換部３２とが設けられている。ここで、オフセット補正とは、暗電流によるオフセットレベルを除去する処理である。
【００２６】
デジタル信号処理部１７は、アナログ信号処理部１６から出力されたデジタル画像データに対して、シェーディング補正、γ補正、欠陥画素補間処理、フィルタ処理等のデジタル信号処理を行う。このデジタル信号処理部１７が行う各種のデジタル信号処理の一部又は全ての処理は、プログラムによってＣＰＵ１１が実行できるようになっている。
【００２７】
入出力インターフェイス１８は、接続されている外部装置３３に、デジタル信号処理部１７から出力されたデジタル画像データを出力する。この入出力インターフェイス１８により、制御部１０と外部装置３３とが接続されることになって、制御部１０が外部装置３３からの制御信号を入力して、当該制御信号に同期させてデジタル画像データを外部装置３３に出力する。
【００２８】
光源ドライバ１９は、走査部３の表面画像読取部７及び裏面画像読取部８のＬＥＤ８３の点灯タイミングを制御するようになっている。
【００２９】
センサドライバ２０は、撮像素子８７を駆動させて、撮像素子８７の光電変換期間と電荷出力期間とのタイミングを制御する。
【００３０】
以下、センサドライバ２０のタイミング制御及び光源ドライバ１９の点灯タイミング制御について説明する。
【００３１】
まず、センサドライバ２０によるタイミング制御について説明する。図６は、表面画像読取部７及び裏面画像読取部８の撮像素子７７，８７の光電変換期間、電荷出力期間のタイミングを表すタイミングチャートである。図６に示すように、撮像素子７７，８７は同じ周期で電荷出力期間と光電変換期間とが切り替わるものの、位相がずれているために、それぞれの電荷出力期間が重ならないタイミングで、電荷出力期間と光電変換期間とが切り替わることになっている。具体的には、表面画像読取部７における撮像素子７７の第１光電変換期間中に、裏面画像読取部８における撮像素子８７の第０電荷出力期間が配置されて、撮像素子８７の第２光電変換期間中に、撮像素子７７の第１電荷出力期間が配置されるように、センサドライバ２０によって撮像素子７７，８７が制御されている。
【００３２】
次に、光源ドライバ１９による点灯タイミング制御について説明する。
光源ドライバ１９は、表面画像読取部７及び裏面画像読取部８のうち、一方の画像読取部７，８のＬＥＤ７３，８３が、他方の画像読取部７，８の撮像素子７７，８７の電荷出力期間で発光して、光電変換期間で消灯するように、ＬＥＤ７３，８３を制御している。具体的には、光源ドライバ１９は、撮像素子７７，８７の光電変換期間と電荷出力期間との周期と同周期で、かつ位相をずらしてＬＥＤ７３，８３を点滅させることで、表面画像読取部７及び裏面画像読取部８のうち、一方の画像読取部７，８のＬＥＤ７３，８３を、他方の画像読取部７，８の撮像素子７７，８７の電荷出力期間で発光させて、光電変換期間で消灯させている。これにより、図６に示すように、裏面画像読取部８における撮像素子８７の第０電荷出力期間中に、表面画像読取部７におけるＬＥＤ７３の第１点灯期間が配置されるとともに、表面画像読取部７における撮像素子７７の第１電荷出力期間中に、裏面画像読取部８におけるＬＥＤ８３の第２点灯期間が配置されることになる。
【００３３】
これにより、表面画像読取部７では、第１点灯期間でのＬＥＤ７３の発光により原稿Ｇ表面を反射した光が、第１光電変換期間中に撮像素子７７で光電変換されて蓄積された後に、第１電荷出力期間で電気信号として出力されることになる。一方、裏面画像読取部８では、第２点灯期間でのＬＥＤ８３の発光により原稿Ｇ裏面を反射した光が、第２光電変換期間中に撮像素子８７で光電変換されて蓄積された後に、第２電荷出力期間で電気信号として出力されることになる。
このように、表面画像読取部７及び裏面画像読取部８のいずれにおいても、一方の画像読取部７，８のＬＥＤ７３，８３が、他方の画像読取部７，８の撮像素子７７，８７の電荷出力期間で発光して、光電変換期間で消灯するので、一方の画像読取部７，８の光が原稿Ｇを通過して他方の画像読取部７，８の撮像素子７７，８７に入射したとしても、当該撮像素子７７，８７が電荷出力期間となる。
【００３４】
次に、本実施形態の画像読取装置１で実現される画像読取方法について図７のフローチャートを参照して説明する。
原稿Ｇがプラテン部２上に載置されてから、原稿Ｇの読取領域や読取倍率等の読取条件とともに読取指示が入力されると、制御部１０は、原稿読取処理を開始する。
ステップＳ１では、制御部１０は、パルスモータ６５を制御して、原稿Ｇの読取領域外における所定の位置に走査部３を移動させる。
【００３５】
ステップＳ２では、制御部１０は、ＬＥＤ７３，８３を点灯させて、撮像素子７７，８７に入射した光に基づく電気信号を補正する。
【００３６】
ステップＳ３では、制御部１０は、パルスモータ６５を制御して、走査部３を所定の移動速度で副走査方向Ｓに移動させる。この際、制御部１０は、表面画像読取部７と裏面画像読取部８との各ロッドレンズアレイ８６の焦点位置が、指定された読取領域の端に達したときから原稿読取を開始する。
【００３７】
ステップＳ４では、制御部１０は、表面画像読取部７の撮像素子７７と、裏面画像読取部８の撮像素子８７とを同一の周期で、かつ異なる位相で光電変換期間と電荷出力期間とが切り替わるように制御する。
【００３８】
ステップＳ５では、制御部１０は、各撮像素子７７，８７の状態が光電変換期間であるか、電荷出力期間であるかを判断し、表面画像読取部７の撮像素子７７が電荷出力期間で、裏面画像読取部８の撮像素子８７が光電変換期間である場合にはステップＳ６に移行して、表面画像読取部７の撮像素子７７が光電変換期間で、裏面画像読取部８の撮像素子８７が電荷出力期間である場合にはステップＳ１６に移行して、両者の撮像素子７７，８７が光電変換期間である場合にはステップＳ２６に移行する。
【００３９】
ステップＳ６では、制御部１０は、表面画像読取部７の撮像素子７７からアナログ信号処理部１６に電気信号を出力させるとともに、裏面画像読取部８のＬＥＤ８３を点灯させて、原稿Ｇ裏面を照射する。この反射光がロッドレンズアレイ８６を介して裏面画像読取部８の撮像素子８７に入射するので、当該撮像素子８７は受光した光を光電変換し蓄積することになる。その後、制御部１０は、ステップＳ７に移行する。
【００４０】
ステップＳ１６では、制御部１０は、裏面画像読取部８の撮像素子８７からアナログ信号処理部１６に電気信号を出力させるとともに、表面画像読取部７のＬＥＤ７３を点灯させて、原稿Ｇ表面を照射する。この反射光がロッドレンズアレイ８６を介して表面画像読取部７の撮像素子７７に入射するので、当該撮像素子７７は受光した光を光電変換し蓄積することになる。その後、制御部１０は、ステップＳ７に移行する。
【００４１】
ステップＳ２６では、制御部１０は、表面画像読取部７及び裏面画像読取部８の各ＬＥＤ７３，８３を消灯し、ステップＳ７に移行する。
【００４２】
ステップＳ７では、制御部１０は、表面画像読取部７と裏面画像読取部８との各ロッドレンズアレイ８６の焦点位置が、指定された読取領域を通過したか否かを判定し、通過していない場合にはステップＳ５に移行して、通過した場合にはステップＳ８に移行する。
【００４３】
ステップＳ８では、制御部１０は、パルスモータ６５を制御して、走査部３の移動を停止する。
【００４４】
ステップＳ９では、制御部１０のアナログ信号処理部１６は、入力された電気信号に対して、オフセット補正、増幅補正、雑音除去等の信号処理を行ってアナログ画像信号を生成して、所定のビット深度のデジタル画像データに変換し、デジタル信号処理部１７に出力する。
【００４５】
ステップＳ１０では、制御部１０のデジタル信号処理部１７は、アナログ信号処理部１６から入力されたデジタル画像データに対してシェーディング補正、γ補正、欠陥画素補間処理、フィルタ処理等のデジタル信号処理を行ってから、入出力インターフェイス１８に出力する。
【００４６】
ステップＳ１１は、制御部１０の入出力インターフェイス１８は、デジタル信号処理部１７から入力されたデジタル画像データを、外部装置３３からの制御信号に同期させて外部装置３３に出力し、画像読取処理を終了する。
【００４７】
ここで、上記したステップＳ２での電気信号の補正について説明すると、ＬＥＤ７３，８３は、ハロゲンランプ等と比較して消費電力が小さく有効であるが輝度も小さい。このため、撮像素子７７，８７が光電変換して出力する光量信号に応じた電気信号は微弱となる。モノクロスキャナタイプの画像読取装置１では、撮像素子７７，８７から出力される電気信号で１画素分のデジタル画像データを生成する。つまり、ＬＥＤ７３，８３の光に基づいて各撮像素子７７，８７から出力される電気信号で１画素分の濃度が決定される。
【００４８】
撮像素子７７，８７から出力された電気信号は、Ａ／Ｄ変換部３２において所定のビット深度のデジタル画像データに変換される。所定のビット深度のビット分解能を得るために、アナログ信号補正部３１は電気信号をＡ／Ｄ変換部３２に適するように増幅する。また、アナログ信号補正部３１は撮像素子７７，８７から出力された電気信号の最大値がＡ／Ｄ変換部３２が変換可能な電気信号の最大値と等しくなるように補正する。
【００４９】
Ａ／Ｄ変換部３２に入力される電気信号を補正する方法として、撮像素子７７，８７から出力された電気信号に対して増幅率を補正することを考える。ＬＥＤ７３，８３の光によって撮像素子７７，８７から出力される電気信号を、原稿読取処理を開始する前の、所定の基準に基づいて補正する。
【００５０】
ＬＥＤ７３，８３の光によって撮像素子７７，８７から出力された電気信号の最大値が、Ａ／Ｄ変換部３２で変換可能な電気信号の最大値と等しくなるように補正するために、白色基準板を読み取ってＬＥＤ７３，８３の光によって撮像素子７７，８７から出力される電気信号の最大値を出力させる。白色基準板は図示しないものの、例えば走査部３の移動範囲内の所定の位置に設けられている。この白色基準板と各原稿読取部との距離は、原稿読取時における原稿と原稿読取部との距離と等しくなるように設定されている。
【００５１】
そして、走査部３が、電気信号の補正時に、白色基準板を読み取る位置に移動すると、ＣＰＵ１１は光源ドライバ１９を制御してＬＥＤ７３，８３を点灯させる。ＣＰＵ１１は、ＬＥＤ７３，８３の光によって撮像素子７７，８７から出力された電気信号を一時的にメモリ１４に記憶させる。
【００５２】
アナログ信号処理部１６は、撮像素子７７，８７から出力される電気信号のオフセット補正を行う。アナログ信号処理部１６は、撮像素子７７，８７から出力される電気信号の最大値がＡ／Ｄ変換部３２において変換可能な電気信号の最大値と等しくなるように、オフセット補正された電気信号を増幅補正する。電気信号の増幅補正は、ＲＯＭ１２に記憶されている所定のコンピュータプログラムをＣＰＵ１１が実行することによって行われる。アナログ信号処理部１６によって増幅するときの増幅率が設定されて、増幅補正が終了する。撮像素子７７，８７から出力される電気信号にオフセットが混入した場合には、再度オフセット補正を行って、増幅率を設定する。
【００５３】
以上のように、本実施形態の画像読取装置１によれば、表面画像読取部７の撮像素子７７と、裏面画像読取部８の撮像素子８７とが、それぞれの電荷出力期間が重ならないタイミングで、電荷出力期間と光電変換期間とが切り替わるようになっている。そして、走査部３が原稿Ｇ上を走査する際に、表面画像読取部７及び裏面画像読取部８のうち、一方の画像読取部７，８の光源が他方の画像読取部７，８の撮像素子７７，８７の出力期間で発光して、光電変換期間で消灯することで、原稿Ｇ上の画像が読み取られるので、一方の画像読取部７，８の光が原稿Ｇを通過して他方の画像読取部７，８の撮像素子７７，８７に入射したとしても、当該撮像素子７７，８７が信号出力期間となる。つまり、他方の画像読取部７，８の撮像素子７７，８７では、一方の画像読取部７，８からの光を電荷に変換して蓄積することがなくなるので、裏写りの発生が防止されることになる。したがって、高品位な画像読み取りを実現することができる。
【００５４】
［第２の実施の形態］
第１の実施の形態では画像読取装置１がモノクロスキャンタイプである場合を例示して説明したが、この第２の実施の形態では、カラースキャンタイプの画像読取装置である場合について説明する。なお、以下の説明において第１の実施の形態と同一の部分においては同一の符号を付してその説明を省略する。
【００５５】
図８は、第２の実施の形態の画像読取装置１Ａにおける走査部３Ａの概略構成を表す説明図である。この図８に示すように、走査部３Ａの表面画像読取部７Ａ及び裏面画像読取部８Ａには、赤色光を発光する赤色ＬＥＤ７３Ｒ，８３Ｒと、緑色光を発光する緑色ＬＥＤ７３Ｇ，８３Ｇと、青色光を発光する青色ＬＥＤ７３Ｂ，８３Ｂとが、それぞれ副走査方向Ｓに直行する方向に沿うように、複数配列されている。これら各色のＬＥＤが原稿Ｇの同一部分にそれぞれ光を照射するようになっている。
【００５６】
そして、センサドライバ２０によるタイミング制御について説明する。図９は、表面画像読取部７Ａ及び裏面画像読取部８Ａの撮像素子７７，８７の光電変換期間、電荷出力期間のタイミングを表すタイミングチャートである。ただし、受光した赤色の光を電荷に変えて蓄積する時間をＲ光電変換期間、蓄積された電荷を出力する時間をＲ電荷出力期間とし、受光した緑色の光を電荷に変えて蓄積する時間をＧ光電変換期間、蓄積された電荷を出力する時間をＧ電荷出力期間とし、受光した青色の光を電荷に変えて蓄積する時間をＢ光電変換期間、蓄積された電荷を出力する時間をＢ電荷出力期間とする。図９に示すように、撮像素子７７，８７は同じ周期で電荷出力期間と光電変換期間とが切り替わるものの、位相がずれているために、それぞれの電荷出力期間が重ならないタイミングで、電荷出力期間と光電変換期間とが切り替わることになっている。具体的には、表面画像読取部７Ａにおける撮像素子７７の第１Ｒ光電変換期間中に、裏面画像読取部８Ａにおける撮像素子８７の第０Ｂ電荷出力期間が配置されている。以下、同様に、第１Ｇ光電変換期間中に第２Ｒ電荷出力期間が、第１Ｂ光電変換期間中に第２Ｇ電荷出力期間が配置されている。
一方、裏面画像読取部８Ａにおける撮像素子８７の第２Ｒ光電変換期間中には、表面画像読取部７Ａにおける撮像素子７７の第１Ｒ電荷出力期間が配置されている。以下、同様に、第２Ｇ光電変換期間中に第１Ｇ電荷出力期間が、第２Ｂ光電変換期間中に第１Ｂ電荷出力期間が配置されている。
【００５７】
次に、光源ドライバ１９による点灯タイミング制御について説明する。
光源ドライバ１９は、表面画像読取部７Ａ及び裏面画像読取部８Ａのうち、一方の画像読取部７Ａ，８ＡのＬＥＤが、他方の画像読取部７Ａ，８Ａの撮像素子７７，８７の電荷出力期間で発光して、光電変換期間で消灯するように、ＬＥＤを制御している。具体的には、図９に示すように、裏面画像読取部８Ａにおける撮像素子８７の第０Ｂ電荷出力期間中に、表面画像読取部７Ａにおける赤色ＬＥＤ７３Ｒの第１赤色ＬＥＤ点灯期間が配置される。以下同様に、第２Ｒ電荷出力期間に第１緑色ＬＥＤ点灯期間が配置されて、第２Ｇ電荷出力期間に第１青色ＬＥＤ点灯期間が配置される。一方、表面画像読取部７Ａにおける撮像素子７７の第１Ｒ電荷出力期間中には、裏面画像読取部８Ａにおける赤色ＬＥＤ８３Ｒの第２赤色ＬＥＤ点灯期間が配置される。以下同様に、第１Ｇ電荷出力期間に第２緑色ＬＥＤ点灯期間が配置されて、第１Ｂ電荷出力期間に第２青色ＬＥＤ点灯期間が配置される。
【００５８】
これにより、表面画像読取部７Ａでは、第１赤色ＬＥＤ点灯期間での赤色ＬＥＤ７３Ｒの発光により原稿Ｇ表面を反射した光が、第１Ｒ光電変換期間中に撮像素子７７で光電変換されて蓄積された後に、第１Ｒ電荷出力期間で出力されることになる。次いで第１緑色ＬＥＤ点灯期間での緑色ＬＥＤ７３Ｇの発光により原稿Ｇ表面を反射した光が、第１Ｇ光電変換期間中に撮像素子７７で光電変換されて蓄積された後に、第１Ｇ電荷出力期間で出力されることになる。そして、第１青色ＬＥＤ点灯期間での青色ＬＥＤ７３Ｂの発光により原稿Ｇ表面を反射した光が、第１Ｂ光電変換期間中に撮像素子７７で光電変換されて蓄積された後に、第１Ｂ電荷出力期間で出力されることになる。
一方、裏面画像読取部８Ａでは、第２赤色ＬＥＤ点灯期間での赤色ＬＥＤ８３Ｒの発光により原稿Ｇ裏面を反射した光が、第２Ｒ光電変換期間中に撮像素子８７で光電変換されて蓄積された後に、第２Ｒ電荷出力期間で出力されることになる。次いで第２緑色ＬＥＤ点灯期間での緑色ＬＥＤ８３Ｇの発光により原稿Ｇ裏面を反射した光が、第２Ｇ光電変換期間中に撮像素子８７で光電変換されて蓄積された後に、第２Ｇ電荷出力期間で出力されることになる。そして、第２青色ＬＥＤ点灯期間での青色ＬＥＤ８３Ｂの発光により原稿Ｇ裏面を反射した光が、第２Ｂ光電変換期間中に撮像素子８７で光電変換されて蓄積された後に、第２Ｂ電荷出力期間で出力されることになる。
これらのことにより、位置ライン分の同一の画素のＲＧＢ成分が読み込まれることになる。
このように、表面画像読取部７Ａ及び裏面画像読取部８Ａのいずれにおいても、一方の画像読取部７Ａ，８ＡのＬＥＤが、他方の画像読取部７Ａ，８Ａの撮像素子７７，８７の電荷出力期間で発光して、光電変換期間で消灯するので、一方の画像読取部７Ａ，８Ａの光が原稿Ｇを通過して他方の画像読取部７Ａ，８Ａの撮像素子７７，８７に入射したとしても、当該撮像素子７７，８７が電荷出力期間となる。これにより、カラースキャンタイプの画像読取装置１００であっても、他方の画像読取部７Ａ，８Ａの撮像素子７７，８７が、一方の画像読取部７，８からの光を電荷に変換して蓄積することがなくなるので、裏写りの発生が防止されることになる。したがって、画像読み取りの正確性を高めることができる。
【００５９】
なお、本発明は上記実施の形態に限らず適宜変更可能であるのは勿論である。
例えば、上記実施形態では、移動部６によって走査部３が移動させられる場合を例示して説明したが、走査部３が原稿Ｇに対して相対的に移動して、原稿Ｇを走査するのであれば、原稿Ｇ側を移動させるものであってもかまわない。
また、本発明はＣＣＤイメージセンサにより光電変換、電荷出力を行う形態に限られるものではなく、例えばＣＭＯＳイメージセンサを用いた画像読取装置にも適用可能である。この場合、光電変換期間に光電変換部により電荷を蓄積し、信号出力期間この電荷を電圧値として取り出す形態であってもよい。このように、信号の取り出しは電荷信号として取り出すか、電圧値信号として取り出すかは本発明の適用される実施形態に応じて適宜決めればよい。
【図面の簡単な説明】
【００６０】
【図１】第１の実施の形態の画像読取装置の概略構成を表す側面図である。
【図２】図１の画像読取装置の概略構成を表す正面図である。
【図３】図１の画像読取装置に備わる走査部の構成を表す説明図である。
【図４】図３の走査部に備わる裏面画像読取部の概略構成を表す斜視図である。
【図５】図１の画像読取装置に備わる制御部の構成を表すブロック図である。
【図６】図３の表面画像読取部及び裏面画像読取部の撮像素子の光電変換期間、電荷出力期間のタイミングを表すタイミングチャートである。
【図７】図１の画像読取装置の作用を表すフローチャートである。
【図８】第２の実施の形態の画像読取装置に備わる走査部の構成を表す説明図である。
【図９】図８の表面画像読取部及び裏面画像読取部の撮像素子の光電変換期間、電荷出力期間のタイミングを表すタイミングチャートである。
【符号の説明】
【００６１】
１      画像読取装置
２      プラテン部
３      走査部
６      移動部
７      表面画像読取部
８      裏面画像読取部
１０      制御部
１４      メモリ
１５      モータドライバ
１６      アナログ信号処理部
１７      デジタル信号処理部
１８      入出力インターフェイス
１９      光源ドライバ
２０      センサドライバ
２１      透光板
３１      アナログ信号補正部
３２      Ａ／Ｄ変換部
３３      外部装置
６１      移動レール
６２      駆動ベルト
６３      プーリ
６４      アイドルプーリ
６５      パルスモータ
７１，８１      発光部
７２，８２      受光部
７３，８３    ＬＥＤ（光源）
７４，８４      保持部材
７５，８５      反射面
７６，８６      ロッドレンズアレイ
７７，８７      撮像素子
７８，８８      ロッドレンズ
１００      画像読取装置
Ｇ      原稿（記録媒体）
Ｈ      主走査方向
Ｓ      副走査方向
【図１】
2007243588.tif 000003
【図２】
2007243588.tif 000004
【図３】
2007243588.tif 000005
【図４】
2007243588.tif 000006
【図５】
2007243588.tif 000007
【図６】
2007243588.tif 000008
【図７】
2007243588.tif 000009
【図８】
2007243588.tif 000010
【図９】
2007243588.tif 000011